(57)【要約】【課題】プレイヤーが意図する方向へ正確にボールを飛ばすことができるゴルフクラブヘッドを提供する。【解決手段】ゴルフクラブヘッド１００は、フェイス１１、クラウン１２、ヒール１３及びシャフト取付部１４などを有する中空構造のヘッド本体１０を備えている。クラウン１２はチタン合金製であり、クラウン１２の表面に、クラウン１２の外周縁１２ａと連続する複数の突条部１５で区画された複数の凹状部１７を備えている。複数の凹状部１７のクラウン表面視形状（クラウン１２の表面に現れる形状）は互いに異なっており、複数の凹状部１７はそれぞれ独立した状態にある。突条部１５は、クラウン１２の表面に沿った方向に見ると、全体的に連続した状態にある。また、複数の凹状部１７のクラウン１２の表面における開口面積は互いに異なっている。【選択図】図１
2018140062.tif 000002
【特許請求の範囲】
【請求項１】
金属製のクラウンの表面に、前記クラウンの外周縁と連続する突条部で区画された複数の凹状部を備えたゴルフクラブヘッド。
【請求項２】
前記クラウンの表面における前記凹状部の形状が互いに異なる請求項１記載のゴルフクラブヘッド。
【請求項３】
前記クラウンの表面における前記凹状部の開口面積が互いに異なる請求項１又は２記載のゴルフクラブヘッド。
【請求項４】
前記クラウンの表面における前記凹状部の開口面積が前記凹状部の底面積より大である請求項１〜３の何れかの項に記載のゴルフクラブヘッド。
【請求項５】
前記クラウンの表面における前記凹状部の形状が、カール形状、円弧形状、渦巻形状、三日月形状、分枝形状のうちの１以上を含むものである請求項１〜４の何れかの項に記載のゴルフクラブヘッド。
【請求項６】
前記クラウンがチタン合金製である請求項１〜５の何れかの項に記載のゴルフクラブヘッド。
【発明の詳細な説明】
【技術分野】
【０００１】
本発明は、金属製中空構造のゴルフクラブヘッドに関する。
【背景技術】
【０００２】
ゴルフクラブヘッドについては、従来、プレイヤーの要望に応えるべく様々なアイデアを有するものが出願されているが、本発明に関連するものとして、例えば、特許文献１〜４に記載されたゴルフクラブヘッドがある。
【先行技術文献】
【特許文献】
【０００３】
【特許文献１】特表２０１４−５３２４６９号公報
【特許文献２】特開２０１３−３１６５６号公報
【特許文献３】特開２００３−８８６０１号公報
【特許文献４】特開平９−３１３６５６号公報
【発明の概要】
【発明が解決しようとする課題】
【０００４】
引用文献１〜４に記載されたゴルフクラブヘッドは、スイングするときの空気抵抗が小さい、飛距離を増大することができるなどの機能を有しているが、これらを使用するプレイヤーによっては、プレイヤーが意図する方向へボールが飛ばないことがある。
【０００５】
そこで、本発明が解決しようとする課題は、プレイヤーが意図する方向へ正確にボールを飛ばすことができるゴルフクラブヘッドを提供することにある。
【課題を解決するための手段】
【０００６】
本発明のゴルフクラブヘッドは、金属製のクラウンの表面に、前記クラウンの外周縁と連続する突条部で区画された複数の凹状部を備えたことを特徴とする。
【０００７】
前記ゴルフクラブヘッドにおいては、前記クラウンの表面における前記凹状部の形状が互いに異なることが望ましい。
【０００８】
前記ゴルフクラブヘッドにおいては、前記クラウンの表面における前記凹状部の開口面積が互いに異なることが望ましい。
【０００９】
前記ゴルフクラブヘッドにおいては、前記クラウンの表面における前記凹状部の開口面積が前記凹状部の底面積より大であることが望ましい。
【００１０】
前記ゴルフクラブヘッドにおいては、前記クラウンの表面における前記凹状部の形状が、カール形状、円弧形状、渦巻形状、三日月形状、分枝形状のうちの１以上を含むものとすることができる。
【００１１】
前記ゴルフクラブヘッドにおいては、前記クラウンがチタン合金製であることが望ましい。
【発明の効果】
【００１２】
本発明により、プレイヤーが意図する方向へ正確にボールを飛ばすことができるゴルフクラブヘッドを提供することができる。
【図面の簡単な説明】
【００１３】
【図１】本発明の実施形態であるゴルフクラブヘッドを示す斜視図である。
【図２】図１に示すゴルフクラブヘッドのクラウンの表面の一部拡大図である。
【図３】図２中のＡ−Ａ線における一部省略断面図である。
【図４】図１に示すクラブヘッドの使用状態を示す一部省略斜視図である。
【図５】本発明のその他の実施形態であるゴルフクラブヘッドを示す斜視図である。
【図６】本発明のその他の実施形態であるゴルフクラブヘッドを示す斜視図である。
【発明を実施するための形態】
【００１４】
以下、図１〜図６に基づいて、本発明の実施の形態であるゴルフクラブヘッド１００，２００，３００について説明する。
【００１５】
図１〜図４に基づいて、ゴルフクラブヘッド１００について説明する。図１に示すようにゴルフクラブヘッド１００は、フェイス１１、クラウン１２、ヒール１３及びシャフト取付部１４などを有する中空構造のヘッド本体１０を備えている。クラウン１２はチタン合金製であり、クラウン１２の表面に、クラウン１２の外周縁１２ａと連続する複数の突条部１５で区画された複数の凹状部１７を備えている。
【００１６】
図１に示すように、複数の凹状部１７のクラウン表面視形状（クラウン１２の表面に現れる形状）は互いに異なっており、複数の凹状部１７はそれぞれ独立した状態にある。突条部１５は、クラウン１２の表面に沿った方向に見ると、全体的に連続した状態にある。また、複数の凹状部１７のクラウン１２の表面における開口面積は互いに異なっている。
【００１７】
ゴルフクラブヘッド１００においては、図３に示すように、凹状部１７の内周面１７ａが凹状部１７の底面１７ｂに向かうに連れて狭まっていくように傾斜している。このため、クラウン１２の表面における、それぞれの凹状部１７の開口面積は凹状部１７の底面積（底面１７ｂの面積）より大である。即ち、凹状部１７は、その底面１７ｂからクラウン１２の表面に向かうにつれて連続的に広がった形状をなしている。図３に示すように、凹状部１７の内周面１７ａの傾斜角度Ｒは２０度〜２５度程度が好適であるが、これに限定するものではない。
【００１８】
図１に示すように、ゴルフクラブヘッド１００は複数の凹状部１７を備えているが、クラウン１２の表面に現れる凹状部１７は、カール形状の凹状部１７ｃ、円弧形状の凹状部１７ｄ、渦巻形状の凹状部１７ｅ、三日月形状の凹状部１７ｆ、分枝形状の凹状部１７ｇなどを含んでいる。
【００１９】
図４に示すように、ゴルフクラブヘッド１００が組み込まれたゴルフクラブ４０を使用して、プレイヤー（図示せず）がボール５０を打つと、スイング時にボール５０と衝突したフェイス１１が受ける衝撃力は、フェイス１１からクラウン１２などに伝達される。
【００２０】
従来のゴルフクラブヘッドの場合、フェイスからクラウンに衝撃力が伝達されると、この衝撃力によってクラウンが変形し、これに伴ってフェイスの角度が変化するので、プレイヤーの意図しない方向へボールが飛ぶことが多かった。
【００２１】
これに対し、本実施形態のゴルフクラブヘッド１００においては、前記衝撃力によるクラウン１２の変形が極めて小さく、フェイス１１の角度変化が生じ難いので、プレイヤーが意図した方向へ正確にボール５０を飛ばすことができる。また、ボール５０を打ったときのクラウン１２の変形が極めて小さいということは、クラウン１２の強度（剛性）が高まったのと同様の効果を生じるので、フェイス１２はクラウン１２によって強固に支えられた状態となり、フェイス１１からボール５０に伝わる打撃力も向上する。
【００２２】
ゴルフクラブヘッド１００を使用してボール５０を打ったとき、フェイス１１からクラウン１２に伝達される衝撃力に起因するクラウン１２の変形が極めて小さい理由（根拠）については、その全容は解明できていないが、以下の通りではないかと推測される。
【００２３】
一般に「フラットな平板材と、平板材と同じ板厚であって山谷状に折れ曲がった折板材とを対比すると、折板材の方が曲がり難い」という性質がある。ゴルフクラブヘッド１００のクラウン１２は、その表面に、クラウン１２の外周縁１２ａと連続する突条部１５で区画された複数の凹状部１７を備えているため、前記性質に基づいて類推すれば、表面全体が凹凸形状をなすクラウン１２は折板材のような性質を有することとなり、従来の平板状のクラウンに比べ変形し難くなっているのではないか、と推測される。
【００２４】
なお、前述の推測は、発明者が、従来のゴルフクラブ並びにゴルフクラブヘッド１００を有するゴルフクラブ４０をそれぞれ使用してボールを打つという実験を何度も繰り返すとともに、ボールの飛ぶ方向を観測、検討した結果、得られたものである。
【００２５】
次に、図５，図６に基づいて、本発明のその他の実施の形態であるゴルフクラブヘッド２００，３００について説明する。なお、図５，図６にそれぞれ示すゴルフクラブヘッド２００，３００においてゴルフクラブヘッド１００と共通する部分については図１，図２中の符号と同符号を付して説明を省略する。
【００２６】
図５に示すゴルフクラブヘッド２００においては、クラウン２２はチタン合金製であり、クラウン２２の表面に、クラウン２２の外周縁２２ａと連続する突条部２５で区画された複数の凹状部２７を備えている。突条部２５は、ボールを打つ時のスイング方向（打撃方向）と略平行をなす直線形状をなしている。
【００２７】
図５に示すように、複数の凹状部２７のクラウン表面視形状（クラウン２２の表面に現れる形状）は互いに異なっており、複数の凹状部２７はそれぞれ独立した状態にあり、複数の凹状部２７のクラウン２２表面における開口面積は互いに異なっている。また、凹状部２７は、その底面２７ｂからクラウン２２表面に向かうにつれて連続的に広がった形状をなしている。
【００２８】
次に、図６に示すゴルフクラブヘッド３００においては、チタン合金製のクラウン３２の表面に、クラウン３２の外周縁３２ａと連続する複数の突条部３５で区画された複数の凹状部３７を備えている。突条部３５は、クラウン３２の表面にてＸ形状をなしている。
【００２９】
図６に示すように、複数の凹状部３７のクラウン表面視形状（クラウン３２の表面に現れる形状）は互いに異なっており、複数の凹状部３７はそれぞれ独立した状態にあり、複数の凹状部３７のクラウン３２表面における開口面積は互いに異なっている。また、凹状部３７は、その底面３７ｂからクラウン３２表面に向かうにつれて連続的に広がった形状をなしている。
【００３０】
図５，図６にそれぞれ示すゴルフクラブヘッド２００，３００は、図１に示すゴルフクラブヘッド１００と同様、プレイヤーが意図する方向へ正確にボールを飛ばすことができる。また、図１に示すゴルフクラブヘッド１００に比べ、図５，図６にそれぞれ示すゴルフクラブヘッド２００，３００は、クラウン２２，３２における凹状部２７，３７の面積比率が大であるため、クラウン２２，３２の部分が軽くなり、ヘッド本体２０，３０の軽量化を図ることができる。
【００３１】
なお、図１〜図６に基づいて説明したゴルフクラブヘッド１００，２００，３００は本発明を例示するものであり、本発明に係るゴルフクラブヘッドは、前述したゴルフクラブヘッド１００，２００，３００に限定されない。
【産業上の利用可能性】
【００３２】
本発明のゴルフクラブヘッドは、ゴルフ用具を製造する産業分野において広く利用することができる。
【符号の説明】
【００３３】
１０，２０，３０  ヘッド本体
１１  フェイス
１２，２２，３２  クラウン
１２ａ，２２ａ，３２ａ  外周縁
１３  ヒール
１４  シャフト取付部
１５，２５，３５  突条部
１７，１７ｃ，１７ｄ，１７ｅ，１７ｆ，１７ｇ，２７，３７  凹状部
１７ａ  内周面
１７ｂ，２７ｂ，３７ｂ  底面
４０  ゴルフクラブ
５０  ボール
【図１】
2018140062.tif 000003
【図２】
2018140062.tif 000004
【図３】
2018140062.tif 000005
【図４】
2018140062.tif 000006
【図５】
2018140062.tif 000007
【図６】
2018140062.tif 000008